(57)【要約】【課題】化学蓄熱反応器において、熱交換器と蓄熱材層との間の熱交換効率の向上を図る。【解決手段】反応器は、水蒸気と結合することで発熱し、水蒸気が脱離して蓄熱する蓄熱材成形体が拘束枠４４の内部に配置された蓄熱材層３２と、蓄熱材層３２に隣接して配置され、複数の細孔が形成されたフィルタ３４と、内部に熱媒体が流れる空間を有し、少なくとも一方の外面に、フィルタ３４と接触する凸部５１、及びフィルタ３４とは底部５２が離間してフィルタ３４との間に水蒸気を流す反応媒体通路５７を形成する凹部５２が形成された熱交換器５０とを含んで構成される積層体６０が、複数積層された積層ユニット９０と、積層ユニット９０を内部に収容する容器とを有している。【選択図】図４
2018044702.tif 000002
【特許請求の範囲】
【請求項１】
反応媒体と結合することで発熱し、反応媒体が脱離して蓄熱する蓄熱材が拘束枠内部に配置された蓄熱材層と、前記蓄熱材層に隣接して配置され、複数の孔が形成されたフィルタと、内部に熱媒体が流れる空間を有し、少なくとも一方の外面に延設され、前記フィルタと接触する凸部、及び前記フィルタとは底部が離間して前記フィルタとの間に前記反応媒体を流す反応媒体通路を形成する凹部が形成された熱交換器と、を含んで構成される積層体が、複数積層された積層ユニットと、
前記積層ユニットを内部に収容する容器と、
を有する化学蓄熱反応器。
【請求項２】
前記凸部、及び前記凹部は、前記熱交換器の両面に形成され、
前記熱交換器の一方の外面と他方の外面とは、非対称に形成されている、請求項１に記載の化学蓄熱反応器。
【請求項３】
前記熱交換器の他方の外面は平坦面とされ、前記蓄熱材層と直接的に接触している、請求項１に記載の化学蓄熱反応器。
【請求項４】
前記熱交換器の内部に設けられ、一端側から他端側に向けて延設された複数の前記凸部の熱交換器内部側に形成される複数の熱媒体通路と、
前記熱交換器の一端側に設けられ、前記熱交換器の外部から内部へ前記熱媒体を流入させる流入部と、
前記熱交換器の他端側に設けられ、前記熱交換器の内部から外部へ前記熱媒体を排出させる排出部と、
前記熱交換器の内部に設けられ、前記流入部から流入した前記熱媒体を前記複数の熱媒体通路に分配して流す流入部側マニホールドと、
前記熱交換器の内部に設けられ、複数の前記熱媒体通路を流れた後の前記熱媒体を合流させて前記排出部へ向けて集合させる排出部側マニホールドと、
を有する、請求項１〜請求項３の何れか１項に記載の化学蓄熱反応器。
【請求項５】
前記凸部は、側面に少なくとも一つの段部が形成されている、請求項１〜請求項４の何れか１項に記載の化学蓄熱反応器。
【請求項６】
前記熱交換器は、金属板で形成され一方側が開放された箱状の第１部材と第２部材とを互いに向かい合わせて溶接、またはロー付けにより接合することで形成されている、請求項１〜請求項５の何れか１項に記載の化学蓄熱反応器。
【請求項７】
請求項１〜６の何れか１項に記載の化学蓄熱反応器と、
前記化学蓄熱反応器の前記反応媒体通路への反応媒体の供給及び前記反応媒体通路からの反応媒体の受け取りを行う蒸発凝縮器と、
を有する化学蓄熱システム。
【発明の詳細な説明】
【技術分野】
【０００１】
本発明は、化学反応によって蓄熱する化学蓄熱反応器、及び化学蓄熱システムに関する。
【背景技術】
【０００２】
特許文献１に記載の構成では、蓄熱材層、フィルタ、反応媒体拡散層、及び熱交換部が積層されることで化学蓄熱反応器の積層体が形成されており、積層体が複数個積層された積層ユニットが容器内に収容されている。
蓄熱を行う場合には、熱交換器に加熱された熱媒体を流して蓄熱材を加熱する。蓄熱材が加熱により脱水反応を生じることで、蓄熱材に蓄熱が行われる。
【先行技術文献】
【特許文献】
【０００３】
【特許文献１】特開２０１４−１２６２９３号公報
【発明の概要】
【発明が解決しようとする課題】
【０００４】
従来の化学蓄熱反応器では、蓄熱材層の一方側に熱交換器が直接的に接触し、蓄熱材層の他方側には、蒸気を流す流路の形成された金属材料からなるプレート状の反応媒体拡散層を介して別の熱交換器が配置されている。
蓄熱材層と、蓄熱層の一方側に配置される熱交換器とは、直接的に接触しているので、熱交換器の熱を効率的に蓄熱材層に伝達することができる。しかし、蓄熱材層の他方側に配置される熱交換器は、蓄熱材層との間に蒸気を流す流路の形成された反応媒体拡散層が介在しているため、一方側の熱交換器に比較して蓄熱材層への熱の伝達効率が低下する。
このため、従来の化学蓄熱反応器では、熱交換器と蓄熱材層との間の熱交換効率を向上するには改善する余地があった。
【０００５】
本願発明の課題は、化学蓄熱反応器、及び化学蓄熱システムにおいて、熱交換器と蓄熱材層との間の熱交換効率の向上を図ることである。
【課題を解決するための手段】
【０００６】
請求項１に記載の化学蓄熱反応器は、反応媒体と結合することで発熱し、反応媒体が脱離して蓄熱する蓄熱材が拘束枠内部に配置された蓄熱材層と、前記蓄熱材層に隣接して配置され、複数の孔が形成されたフィルタと、内部に熱媒体が流れる空間を有し、少なくとも一方の外面に延設され、前記フィルタと接触する凸部、及び前記フィルタとは底部が離間して前記フィルタとの間に前記反応媒体を流す反応媒体通路を形成する凹部が形成された熱交換器と、を含んで構成される積層体が、複数積層された積層ユニットと、前記積層ユニットを内部に収容する容器と、を有する。
【０００７】
請求項１の化学蓄熱反応器は、蓄熱材層と熱交換器とがフィルタを介して隣接しており、該熱交換器には、フィルタと接触する凸部、及びフィルタとは底部が離間してフィルタとの間に反応媒体を流す反応媒体通路を形成する凹部が形成されているので、例えば、蓄熱材を発熱させる場合には、熱交換器の凹部とフィルタとの間に形成された反応媒体通路に反応媒体を流す。反応媒体通路に流された反応媒体は、反応媒体通路の通路壁面の一部を構成するフィルタを通過し、フィルタを通過した反応媒体と蓄熱材とが結合することで、蓄熱材が発熱する。
【０００８】
なお、蓄熱材に蓄熱を行う場合には、熱交換器の内部の空間に熱媒体を流す。これにより、熱交換器の熱がフィルタを介して蓄熱材に伝達される。蓄熱材が加熱されると、反応媒体が脱離して蓄熱が行われる。蓄熱材から離脱した反応媒体は、フィルタを通過し、反応媒体通路を流れて外部へ排出することができる。
【０００９】
従来の化学蓄熱反応器では、熱交換器と蓄熱材層との間に、反応媒体を流す流路の形成された反応媒体拡散層が介在していたが、請求項１の化学蓄熱反応器では、熱交換器の表面を凹凸させることで反応媒体通路を構成しているので、熱交換器と蓄熱材層との間に従来の反応媒体拡散層を必要とせず、熱交換器と蓄熱材層との間の熱交換効率の向上を図ることができる。
【００１０】
請求項２に記載の発明は、請求項１に記載の化学蓄熱反応器において、前記凸部、及び前記凹部は、前記熱交換器の両面に形成され、前記熱交換器の一方の外面と他方の外面とは、非対称に形成されている。
【００１１】
熱交換器の一方の外面と他方の外面とを、非対称に形成することで、熱交換器の一方側と他方側とで、反応媒体通路の流路断面積を変えることができる。反応媒体通路の流路断面積を変えることで、反応媒体通路を流れる反応媒体の通過抵抗や圧力損失を変えることができる。また、熱交換器の一方の外面と他方の外面とを、非対称に形成することで、一方に配置される蓄熱材層と他方側に配置される蓄熱材層との伝熱面積を変え、熱交換器の一方側に配置される蓄熱材層と熱交換器の他方側に配置される蓄熱材層との間で、熱交換特性を変えることができる。
【００１２】
請求項３に記載の発明は、請求項１に記載の化学蓄熱反応器において、前記熱交換器の他方の外面は平坦面とされ、前記蓄熱材層と直接的に接触している。
【００１３】
請求項３に記載の化学蓄熱反応器では、熱交換器の他方の外面が平坦面とされ、他方の外面が蓄熱材層と直接的に接触しているため、熱交換器の他方側において、凹凸が無い場合に比較して蓄熱材層との接触面積を大きくとることができる。
また、熱交換器の他方側の外面と蓄熱材層とを直接的に接触させているので、熱交換器と蓄熱材層との間にフィルタ等の他の部材が介在する場合に比較して、熱伝達が良好になる。これにより、熱交換器の他方側と蓄熱材との熱交換効率を向上することができる。
また、蓄熱材層の両側を熱交換器としているので、熱交換効率を向上することができる。
【００１４】
請求項４に記載の発明は、請求項１〜請求項３の何れか１項に記載の化学蓄熱反応器において、前記熱交換器の内部に設けられ、一端側から他端側に向けて延びる複数の前記凸部の熱交換器内部側に形成される複数の熱媒体通路と、前記熱交換器の一端側に設けられ、前記熱交換器の外部から内部へ前記熱媒体を流入させる流入部と、前記熱交換器の他端側に設けられ、前記熱交換器の内部から外部へ前記熱媒体を排出させる排出部と、前記熱交換器の内部に設けられ、前記流入部から流入した前記熱媒体を前記複数の熱媒体通路に分配して流す流入部側マニホールドと、前記熱交換器の内部に設けられ、複数の前記熱媒体通路を流れた後の前記熱媒体を合流させて前記排出部へ向けて集合させる排出部側マニホールドと、を有する。
【００１５】
請求項４に記載の化学蓄熱反応器では、熱交換器の流入部から熱媒体を流入させると、熱媒体は流入部側マニホールドを介して複数の熱媒体通路に分配される。複数の熱媒体通路を流れた熱媒体は排出部側マニホールドで合流して排出部へ向けて集合し、排出部から排出される。これにより、熱交換器に設けられた複数の熱媒体通路に対して、熱媒体を均等に流すことが可能となる。
【００１６】
請求項５に記載の発明は、請求項１〜請求項４の何れか１項に記載の化学蓄熱反応器において、前記凸部は、側面に少なくとも一つの段部が形成されている。
【００１７】
熱交換器を構成する部材を分離しないように拘束したり、蓄熱材が反応媒体と結合して膨張すると、熱交換器が圧縮力を受けることになるため、熱交換器は圧縮力によって変形しないように構成することが好ましい。
請求項５４記載の化学蓄熱反応器では、凸部の側面に少なくとも一つの段部を形成することで、凸部の高さ方向（熱交換器の積層方向）の圧縮強度を高めることができる。
【００１８】
請求項６に記載の発明は、請求項１〜請求項５の何れか１項に記載の化学蓄熱反応器において、前記熱交換器は、金属板で形成され一方側が開放された箱状の第１部材と第２部材とを互いに向かい合わせて溶接、またはロー付けにより接合することで形成されている。
【００１９】
請求項６に記載の化学蓄熱反応器では、熱交換器を金属板で形成したので、強度と軽量化を両立することが可能となる。第１部材と第２部材は、金属板で形成され一方側が開放された箱状とされているので、金属板のプレス加工により成形することができる。また、
金属板で形成された第１部材と第２部材とは、溶接、またはロー付けにより接合することができるので、低コストで中空の熱交換器を製造することが可能となる。
【００２０】
請求項７に記載の化学蓄熱システムは、請求項１〜６の何れか１項に記載の化学蓄熱反応器と、前記化学蓄熱反応器の前記反応媒体通路への反応媒体の供給及び前記反応媒体通路からの反応媒体の受け取りを行う蒸発凝縮器と、を有する。
【００２１】
請求項７に記載の化学蓄熱システムは、蒸発凝縮器を備えているため、蓄熱材を発熱させる場合に反応媒体通路へ蒸発した反応媒体を供給することができる。また、蓄熱材から反応媒体を離脱させた場合、離脱した反応媒体を受け取り、凝縮することができる。
【発明の効果】
【００２２】
本発明の化学蓄熱反応器、及び化学蓄熱システムによれば、熱交換器と蓄熱材層との間の熱交換効率の向上を図ることができる。
【図面の簡単な説明】
【００２３】
【図１】（Ａ）、（Ｂ）は、第１実施形態に係る化学蓄熱システムを示した構成図である。
【図２】第１実施形態に係る反応器を示した斜視図である。
【図３】第１実施形態に係る反応器に備えられた積層ユニットを示した斜視図である。
【図４】積層体を示した斜視図である。
【図５】（Ａ）は熱流動部を示した斜視図であり、（Ｂ）は図５（Ａ）に示す熱流動部の５（Ｂ）−５（Ｂ）線断面図である。
【図６】熱流動部を示した分解斜視図である。
【図７】図５（Ａ）に示す熱流動部の７−７線断面図である。
【図８】図５（Ａ）に示す熱流動部の８−８線断面図である。
【図９】（Ａ）は、第２の実施形態に係る熱流動部を示した水平方向断面図であり、（Ｂ）は、図９（Ａ）に示す熱流動部の９（Ｂ）−９（Ｂ）線断面図である。
【図１０】（Ａ）は第３の実施形態に係る熱流動部を示した斜視図であり、（Ｂ）は図１０（Ａ）に示す熱流動部の１０（Ｂ）−１０（Ｂ）線断面図である。
【図１１】（Ａ）は第４の実施形態に係る熱流動部を示した斜視図であり、（Ｂ）は図１１（Ａ）に示す熱流動部の１１（Ｂ）−１１（Ｂ）線断面図である。
【図１２】（Ａ）は第５の実施形態に係る熱流動部を示した斜視図であり、（Ｂ）は図１２（Ａ）に示す熱流動部を上下に分解した断面図である。
【図１３】（Ａ）は第６の実施形態に係る熱流動部を示した斜視図であり、（Ｂ）は図１３（Ａ）に示す熱流動部を上下に分解した断面図である。
【図１４】（Ａ）は第７の実施形態に係る熱流動部を示した斜視図であり、（Ｂ）は図１４（Ａ）に示す熱流動部を上下に分解した断面図である。
【図１５】（Ａ）は第８の実施形態に係る熱流動部を示した斜視図であり、（Ｂ）は図１５（Ａ）に示す熱流動部を上下に分解した断面図である。
【図１６】（Ａ）は第９の実施形態に係る熱流動部を示した斜視図であり、（Ｂ）は図１６（Ａ）に示す熱流動部を上下に分解した断面図である。
【発明を実施するための形態】
【００２４】
［第１実施形態］
図１乃至図８にしたがって、本発明の第１実施形態に係る化学蓄熱システム１０を説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２５】
（全体構成）
図１（Ａ）、（Ｂ）に示すように、本実施形態に係る化学蓄熱システム１０は、水の蒸発、水蒸気（反応媒体の一例）Ｗの凝縮が行われる蒸発凝縮器１２と、化学蓄熱反応器の一例としての反応器２０と、蒸発凝縮器１２と反応器２０とを連通する連通路１４とを含んで構成されている。
【００２６】
（蒸発凝縮器）
蒸発凝縮器１２は、貯留した水を蒸発させて反応器２０に供給する（水蒸気Ｗを生成する）蒸発部、反応器２０から受け取った水蒸気Ｗを凝縮する凝縮部、及び水蒸気Ｗが凝縮された水を貯留する貯留部、としての各機能を備えている。
【００２７】
また、蒸発凝縮器１２は、内部に水が貯留される容器１６を備えており、この容器１６内には、水蒸気Ｗを凝縮する、又は水を蒸発するのに用いる熱媒流路１７の一部が配置されている。さらに、熱媒流路１７は、容器１６内における少なくとも気相部１６Ａを含む部分で熱交換を行うように配置されている。そして、凝縮時には低温媒体、蒸発時には中温媒体が、熱媒流路１７を流れるようになっている。
【００２８】
（連通路）
連通路１４は、蒸発凝縮器１２（容器１６）と反応器２０（後述する反応容器２２）との連通、非連通を切り替えるための開閉弁１９を備えている。そして、容器１６、反応容器２２、連通路１４、及び開閉弁１９は、互いの接続部位が気密に構成されており、これらの内部空間が予め真空脱気されている。
【００２９】
（反応器）
図２に示すように、反応器２０は、積層ユニット９０と、積層ユニット９０を密閉状態で収容する反応容器２２とを含んで構成されている。
【００３０】
（反応容器）
図２に示すように、反応容器２２は、直方体状とされ、上方側が開放される箱状の本体部２２Ａと、蓋部材２２Ｂとを備えている。そして、反応容器２２の内部は、水蒸気（反応媒体の一例）が流れる反応媒体流動部２６とされ、前述したように内部が真空脱気されている。
【００３１】
（積層ユニットの全体構成）
図３、及び図４に示すように、積層ユニット９０は、発熱又は蓄熱するための蓄熱材層３２、フィルタ３４、及び熱交換部の一例としての熱流動部５０とを積層した積層体６０が、複数積層されている。フィルタ３４は、蓄熱材層３２の上側、及び下側に配置されており、蓄熱材層３２、及びフィルタ３４は、装置上下方向から見て矩形状とされ、本実施形態においては、非接合状態（溶接などで固定されていない状態）で積層されている（所謂積層構造）。
【００３２】
（蓄熱材層の構成）
図３に示すように、蓄熱材層３２は、ブロック状の蓄熱材成形体４０と、蓄熱材成形体４０が内部に配置される枠状の拘束枠の一例としてのフレーム部材４４とを備えている。
【００３３】
蓄熱材成形体４０には、一例として、アルカリ土類金属の酸化物の１つである酸化カルシウム（ＣａＯ：蓄熱材の一例）の成形体が用いられている。この成形体は、例えば、酸化カルシウム粉体をバインダ（例えば粘土鉱物等）と混練し、焼成することで、略矩形ブロック状に形成されている。
【００３４】
ここで、蓄熱材成形体４０は、水和に伴って膨張して放熱（発熱）し、脱水に伴って蓄熱（吸熱）するものであり、以下に示す反応で放熱、蓄熱を可逆的に繰り返し得る構成とされている。
【００３５】
ＣａＯ  ＋  Ｈ２Ｏ  ⇔  Ｃａ（ＯＨ）２
この式に蓄熱量、発熱量Ｑを併せて示すと、
ＣａＯ  ＋  Ｈ２Ｏ  →  Ｃａ（ＯＨ）２  ＋  Ｑ
Ｃａ（ＯＨ）２  ＋  Ｑ  →  ＣａＯ  ＋  Ｈ２Ｏ
となる。
【００３６】
なお、一例として、蓄熱材成形体４０の１ｋｇ当たりの蓄熱容量は、１．８６［ＭＪ／ｋｇ］とされている。
【００３７】
また、本実施形態において、蓄熱材成形体４０を構成する蓄熱材の粒径とは、蓄熱材が粉体の場合はその平均粒径、粒状の場合は造粒前の粉体の平均粒径とする。これは、粒が崩壊する場合、前工程の状態に戻ると推定されるためである。
【００３８】
また、フレーム部材４４は、装置上下方向から見て矩形枠状とされており、蓄熱材成形体４０は、フレーム部材４４内に密に配置されるようになっている。
【００３９】
（フィルタ）
フィルタ３４は、熱流動部５０と蓄熱材層３２との間に挟まれ、一例としてφ２００〔μｍ〕の微小貫通孔（図示せず）が、フィルタ全面に多数形成されたエッチングフィルターである。
【００４０】
そして、フィルタ３４は、蓄熱材成形体４０を構成する蓄熱材の平均粒径より小さいろ過精度を有している。これにより、フィルタ３４は、蓄熱材成形体４０を構成する蓄熱材の平均粒径より小さい流路を水蒸気が通過するのを許容する一方、平均粒径よりも大きい蓄熱材の通過を制限するようになっている。
【００４１】
なお、ろ過精度とは、ろ過効率が５０〜９８％となる粒子径のことであり、ろ過効率とは、ある粒子径の粒子に対する除去効率である。
【００４２】
（熱流動部）
熱流動部５０は、図３、及び図４に示すように、フィルタ３４を介して蓄熱材反応部３０に隣接して積層されている。熱流動部５０は、図５〜図８に示すように、装置上下方向から見て矩形状とされた金属板からなる中空の箱状部材であり、図６に示すように、片側が開放された２つの部材５０ａを溶接することで箱形状を形成している。
【００４３】
熱流動部５０の上面、及び下面には、一端側から他端側へ向けて延びて頂部５１Ａが平坦とされた複数の凸部５１が形成されており、凸部５１と凸部５１との間には底部５２Ａが平坦とされた凹部５２が形成されている。
【００４４】
熱流動部５０の一方側の側壁５０Ａには、熱流動部５０の内部に熱媒体を流入させるための熱媒体流入パイプ５３Ａが溶接等で取り付けられており、熱流動部５０の他方側の側壁５０Ｂには、熱流動部５０の内部に流入させた熱媒体を排出させるための熱媒体排出パイプ５３Ｂが溶接等で取り付けられている。
【００４５】
熱流動部５０の内部には、矩形の仕切り板５４が配置されている。仕切り板５４は、上側の凹部５２の底部５２Ａと下側の凹部５２の底部５２Ａとに挟まれており、これにより、熱流動部５０の内部には、凸部５１と仕切り板５４との間に、熱流動部５０の一端側から他端側へ延びる熱媒体通路５５が形成されている。
【００４６】
熱流動部５０の一方側の側壁５０Ａから他方側の側壁５０Ｂまでの内寸法長さＬ１に対して、仕切り板５４の長さＬ２は短くなっており、熱流動部５０の一方側の側壁５０Ａと仕切り板５４の一端５４Ａとの間には、熱媒体が熱媒体通路５５と直交する方向に流れる流入側幅方向熱媒体通路５６Ａが形成されており、熱流動部５０の他方側の側壁５０Ｂと仕切り板５４の他端５４Ｂとの間には、熱媒体が熱媒体通路５５と直交する方向に流れる排出側幅方向熱媒体通路５６Ｂが形成されている。
【００４７】
これら流入側幅方向熱媒体通路５６Ａ、及び排出側幅方向熱媒体通路５６Ｂは、複数の熱媒体通路５５と連通しており、流入側幅方向熱媒体通路５６Ａは本発明の流入部側マニホールド、排出側幅方向熱媒体通路５６Ｂは本発明の排出部側マニホールドに相当している。
【００４８】
したがって、本実施形態の熱流動部５０では、熱媒体流入パイプ５３Ａから熱流動部５０の内部に熱媒体を流入させると、熱媒体は，流入側幅方向熱媒体通路５６Ａを流れた後、複数の熱媒体通路５５に別れて流入し、各々の熱媒体通路５５を流れた後に排出側幅方向熱媒体通路５６Ｂに流入する。そして、排出側幅方向熱媒体通路５６Ｂに流入した熱媒体は、熱媒体排出パイプ５３Ｂを介して外部へ排出される。
【００４９】
図３、及び図４に示すように、本実施形態の積層ユニット９０は、３つの蓄熱材反応部３０と４つの熱流動部５０とがフィルタ３４を挟んで交互に積層されており、これにより、熱流動部５０の凹部５２とフィルタ３４との間には、蓄熱材層３２の蓄熱材成形体４０へ供給される反応媒体としての水蒸気、又は蓄熱材層３２の蓄熱材成形体４０から排出される水蒸気が装置奥行方向Ｄに沿って流れる反応媒体通路５７が形成されている。
【００５０】
なお、積層ユニット９０の積層方向両側には、矩形の挟持プレート９８が配置されており、積層ユニット９０は、金属製のバンドである拘束部材５８で巻回されて各部材が分離しないように拘束されている。
【００５１】
（熱媒体流路）
熱媒が流れる熱媒体流路７０は、図２に示すように、反応容器２２を構成する蓋部材２２Ｂを貫通するように装置上下方向に延びる一対の配管７０Ａ、７０Ｂを備えている。
配管７０Ａは、熱流動部５０の熱媒体流入パイプ５３Ａに接続され、配管７０Ｂは、熱流動部５０の熱媒体排出パイプ５３Ｂに接続されている。
【００５２】
（化学蓄熱システムの作用、効果）
次に、化学蓄熱システム１０の作用、効果について説明する。
化学蓄熱システム１０において反応器２０に蓄熱された熱を蓄熱材層３２から発熱（放熱）させる際には、図１（Ｂ）に示すように、切替部材７６により熱媒体流路７０の連通先が熱利用対象物９６に切り替えられる。さらに、開閉弁１９を開放し、この状態で、蒸発凝縮器１２の熱媒流路１７に中温媒体を流し、液相部１６Ｂの水を蒸発させる。そして、生成された水蒸気Ｗが連通路１４内を矢印Ｄ方向に移動して、反応容器２２内に供給される。
【００５３】
続いて、反応容器２２内では、供給された水蒸気Ｗが反応媒体流動部２６を通り、反応媒体通路５７に流れ込む。そして、水蒸気Ｗがフィルタ３４を通過して蓄熱材層３２の蓄熱材成形体４０と接触することにより、蓄熱材層３２の蓄熱材成形体４０は、水和反応を生じつつ発熱（放熱）する。この熱は、熱流動部５０の内部を流れる熱媒体によって、熱利用対象物９６に輸送される。
【００５４】
熱流動部５０では、熱媒体流入パイプ５３Ａから熱媒体が流入し、熱媒体は流入側幅方向熱媒体通路５６Ａを流れた後、複数の熱媒体通路５５に別れて流入し、各々の熱媒体通路５５を流れた後に排出側幅方向熱媒体通路５６Ｂに流入する。そして、排出側幅方向熱媒体通路５６Ｂに流入した熱媒体は、熱媒体排出パイプ５３Ｂを介して外部へ排出される。これにより、熱流動部５０は、蓄熱材成形体４０からの熱を、各々の凸部５１から効率的に受け取ることができる。
【００５５】
一方、化学蓄熱システム１０において蓄熱材層３２の蓄熱材成形体４０に熱を蓄熱させる際には、図１（Ａ）に示すように、切替部材７６により熱媒体流路７０の連通先が熱源９４に切り替えられる。さらに、開閉弁１９を開放し、この状態で、熱流動部５０の内部に熱源９４によって加熱された熱媒体が流れる。そして、熱媒体の熱によって蓄熱材成形体４０が脱水反応を生じ、この熱が蓄熱材成形体４０に蓄熱される。前述したように、本実施形態の熱流動部５０では、内部に流入させた熱媒体を、各々の熱媒体通路５５に流すことができるので、熱媒体の熱を各々の凸部５１から効率的に蓄熱材成形体４０に伝達させることができる。
【００５６】
さらに、蓄熱材成形体４０から離脱された水蒸気Ｗは、フィルタ３４から反応媒体通路５７に流れ込む。反応媒体通路５７に流れ込んだ水蒸気Ｗは、反応媒体流動部２６を通り、図１（Ａ）に示すように、連通路１４を矢印Ｅ方向に流れて蒸発凝縮器１２内に流れ込む。そして、蒸発凝縮器１２の気相部１６Ａにおいて、熱媒流路１７を流れる冷媒によって水蒸気Ｗが冷却され、凝縮された水が容器１６の液相部１６Ｂに貯留される。
【００５７】
このようにして、本実施形態の積層ユニット９０は、蓄熱材を加熱して脱水反応を生じさせることで、蓄熱材に蓄熱を行い、蓄熱材に水蒸気を付与して水和反応を生じさせることで発熱を行わせ、発生した熱を熱利用対象物９６で利用することができる。
【００５８】
また、従来の化学蓄熱システムで用いていた反応器では、蓄熱材層の一方側に水蒸気を通す通路を形成した反応媒体拡散層を配置し、蓄熱材層の他方側に熱交換器としての熱流動部を配置していたが、本実施形態の反応器２０では、熱流動部５０の外面を凹凸形状として水蒸気を通す反応媒体通路５７を形成したので、従来の化学蓄熱システムで用いていた蒸気流路を備えた反応媒体拡散層が不要となり、部品点数の低減が図られる。これにより、部品コストの低減、及び反応器２０の軽量化を図ることができる。さらに、従来の反応媒体拡散層が不要となったことで、反応媒体拡散層を減らした分の顕熱分が減り、蓄熱材成形体４０と熱流動部５０との間の熱交換効率を向上することができる。
【００５９】
本実施形態の反応器２０では、蓄熱材成形体４０の上下両側に、熱流動部５０の凹部５２とフィルタ３４との間に形成された反応媒体通路５７が配置されているので、蓄熱材成形体４０の上下方向から水蒸気を供給でき、また、蓄熱材成形体４０から排出される水蒸気を上下の反応媒体通路５７へ排出することができる。したがって、蓄熱材成形体４０の片側のみに反応媒体通路５７を配置した場合に比較して、蓄熱材成形体４０に対して水蒸気の出入りを効率的に行うことができる。なお、蓄熱材成形体４０の中で発生した水蒸気が反応媒体通路５７へ排出され易いということは、ガス（水蒸気）拡散性が向上することを意味する。これにより、本実施形態の反応器２０は、蓄熱材成形体４０の水和反応、及び脱水反応を迅速に行うことが可能となる。
【００６０】
ところで、従来装置の反応器では、蓄熱材成形体の一方の片側に熱流動部が配置され、蓄熱材成形体の他方の片側にフィルタ、及び蒸気流路を備えた反応媒体拡散層を介して他の熱流動部が配置された構成であったため、蓄熱材成形体と一方の熱流動部との間の熱交換効率に比較して、蓄熱材成形体と他の熱流動部との間の熱交換効率が低くなっていた。しかしながら、本実施形態の反応器２０では、蓄熱材成形体４０の上下両側にフィルタ３４を介して熱流動部５０が配置されており、蓄熱材成形体４０と熱流動部５０との間に、従来装置で用いていた反応媒体拡散層が介在しないので、蓄熱材成形体４０と上下両方の熱流動部５０との間で効率的に熱伝達を行うことができる。即ち、本実施形態の反応器２０は、従来よりも蓄熱材成形体４０と熱流動部５０との間の熱交換効率を高めることが可能となる。
【００６１】
なお、従来装置の反応器のように、蓄熱材成形体と熱流動部との間にフィルタ、及び蒸気流路を備えた反応媒体拡散層が介在すると、部材と部材との接触部分が多くなり、接触熱抵抗が大きくなるが、本実施形態では、蓄熱材成形体４０と熱流動部５０との間にはフィルタ３４のみが配置されているので、従来装置の反応容器に比較して接触熱抵抗を小さくすることができ、蓄熱材成形体４０と熱流動部５０との間の熱抵抗を小さくすることができる。
【００６２】
このように、本実施形態の反応器２０においては、熱交換効率が低下するのが抑制され、熱損失を抑制することができるので、本実施形態の化学蓄熱システム１０は、効率的な高性能なものとなる。
【００６３】
さらに、本実施形態の反応器２０では、従来の化学蓄熱システムで用いていた反応媒体拡散層が設けられていないため、反応媒体拡散層が無い分、積層ユニット９０、及び反応容器２２を小型化することができ、蓄熱密度（反応容器２２の内容積に占める蓄熱材の蓄熱量）を高めることができる。これにより、小型で高性能な反応器２０が実現可能となる。
【００６４】
［第２実施形態］
次に、図９にしたがって、本発明の第２実施形態について説明する。なお、前述した実施形態と同一部材等については、同一符号を付してその説明を省略し、前述した実施形態と異なる部分を主に説明する。
【００６５】
図９に示す熱流動部５０は、第１実施形態の熱流動部５０の変形例であり、第１の実施形態で用いられていた仕切り板５４の代わりに、上側の凹部５２の底部５２Ａと下側の凹部５２の底部５２Ａとの間に、底部５２Ａの幅よりも狭い幅に形成された細長のスペーサー１００を配置したものである。
【００６６】
本実施形態では、スペーサー１００の幅を、凹部５２の底部５２Ａの幅よりも狭くしたので、第１実施例よりも熱媒体通路５５の通路断面積を拡大することができる。
【００６７】
［第３実施形態］
次に、図１０にしたがって、本発明の第３実施形態について説明する。なお、前述した実施形態と同一部材等については、同一符号を付してその説明を省略し、前述した実施形態と異なる部分を主に説明する。
図１０に示す熱流動部５０は、第１実施形態の熱流動部５０の変形例であり、一方の面が平坦に形成されているものである。
【００６８】
これにより、熱流動部５０の平坦に形成された側において、フィルタ３４を介さずに蓄熱材層３２と直接的に接触させることができ、さらに凹部５２が無い分だけ接触面積を増やすことができ、蓄熱材成形体４０と熱流動部５０との間の熱交換効率を高めることができる。
【００６９】
［第４実施形態］
次に、図１１にしたがって、本発明の第４実施形態について説明する。なお、前述した実施形態と同一部材等については、同一符号を付してその説明を省略し、前述した実施形態と異なる部分を主に説明する。
【００７０】
本実施形態の熱流動部５０は、第１実施形態の熱流動部５０の変形例であり、下側の凸部５１、及び凹部５２の数が、上側の凸部５１、及び凹部５２の数よりも多く、下側の凸部５１、及び下側の凹部５２が、上側の凸部５１、及び上側の凹部５２よりも幅狭に形成されているものである。
【００７１】
また、本実施形態の熱流動部５０は、上側の部材５０ａと下側の部材５０ａとの形状が異なっているので、上側の部材５０ａと下側の部材５０ａの各々の外周部分にフランジ５０ａｆを形成し、フランジ５０ａｆ同士を溶接等で接合している。
このように、熱流動部５０は、上側と下側とが非対称形状で、上側と下側とで凸部５１、及び凹部５２の数が異なっていてもよく、上側と下側とで凸部５１、及び凹部５２の幅が異なっていてもよい。
【００７２】
［第５実施形態］
次に、図１２にしたがって、本発明の第５実施形態について説明する。なお、前述した実施形態と同一部材等については、同一符号を付してその説明を省略し、前述した実施形態と異なる部分を主に説明する。
【００７３】
図１２に示すように、本実施形態の熱流動部５０は、内部に仕切り板５４が配置されておらず、上側の凹部５２の底部５２Ａと下側の凹部５２の底部５２Ａとが互いに接触し、上側の凸部５１と下側の凸部５１とで囲まれた部分が熱媒体通路５５となっている。
本実施形態の熱流動部５０では、前述した実施形態では設けられていた流入側幅方向熱媒体通路５６Ａ、及び排出側幅方向熱媒体通路５６Ｂが無いため、各熱媒体通路５５毎に熱媒体流入パイプ５３Ａ、及び熱媒体排出パイプ５３Ｂが設けられている。
［第６実施形態］
次に、図１３にしたがって、本発明の第６実施形態について説明する。なお、前述した実施形態と同一部材等については、同一符号を付してその説明を省略し、前述した実施形態と異なる部分を主に説明する。
【００７４】
図１３に示すように、本実施形態の熱流動部５０は、上側の部材５０ａの形状と下側の部材５０ａの形状が異なっており、下側の部材５０ａの凹部５２は、側壁の深さ方向の中間部に段部５２Ｂが形成されている。言い換えれば、下側の部材５０ａの凹部５２は、幅広の凹部の底部に幅狭の凹部が形成されている形状となっている。このように、熱流動部５０において、凹部５２の側壁は平面に限らず、段付き形状としてもよい。
［第７実施形態］
次に、図１４したがって、本発明の第７実施形態について説明する。なお、前述した実施形態と同一部材等については、同一符号を付してその説明を省略し、前述した実施形態と異なる部分を主に説明する。
【００７５】
図１４に示すように、本実施形態の熱流動部５０は、上側の部材５０ａと下側の部材５０ａとが同一形状となっており、上側の部材５０ａの凹部５２、及び下側の部材５０ａの凹部５２は、共に側壁の深さ方向中間部に段部５２Ｂが形成されている。
【００７６】
［第８実施形態］
次に、図１５にしたがって、本発明の第８実施形態について説明する。なお、前述した実施形態と同一部材等については、同一符号を付してその説明を省略し、前述した実施形態と異なる部分を主に説明する。
【００７７】
図１５に示すように、本実施形態の熱流動部５０は、上側の部材５０ａと下側の部材５０ａとが同一形状となっており、上側の部材５０ａの凹部５２の底部５２Ａと下側の部材５０ａの凹部５２の底部５２Ａとの間に仕切り壁１０２が配置されている。仕切り壁１０２は、上下の底部５２Ａに接合されており、また、長手方向端部は、一方側の側壁５Ａと他方側の側壁５０Ｂとに接合されている。これにより、熱流動部５０の内部には、各々が独立した熱媒体通路５５が形成され、熱媒体通路５５毎に熱媒体流入パイプ５３Ａ、及び熱媒体排出パイプ５３Ｂが設けられている。
【００７８】
［第９実施形態］
次に、図１６にしたがって、本発明の第９実施形態について説明する。なお、前述した実施形態と同一部材等については、同一符号を付してその説明を省略し、前述した実施形態と異なる部分を主に説明する。
【００７９】
本実施形態の熱流動部５０は、第７実施形態の変形例であり、図１６に示すように、上側の部材５０ａの凹部５２の底部５２Ａと下側の部材５０ａの凹部５２の底部５２Ａとの間に、仕切り壁１０２の代わりに波板１０４が配置されている。波板１０４は、上下の底部５２Ａに接合されており、また、長手方向端部は、一方側の側壁５Ａと他方側の側壁５０Ｂとに接合されている。これにより、熱流動部５０の内部には、各々が独立した熱媒体通路５５が形成され、熱媒体通路５５毎に熱媒体流入パイプ５３Ａ、及び熱媒体排出パイプ５３Ｂが設けられている。
【００８０】
［その他の実施形態］
なお、本発明を特定の実施形態について詳細に説明したが、本発明は係る実施形態に限定されるものではなく、本発明の範囲内にて他の種々の実施形態をとることが可能であることは当業者にとって明らかである。
蓄熱材成形体４０と反応媒体通路５７との間で水蒸気の行き来を効率的に行えるように、凸部５１、凹部５２の大きさ、数、及び形状等を調整して、水蒸気の流れる反応媒体通路５７の数、断面形状、及び流路断面積を適宜変更することが好ましい。
【符号の説明】
【００８１】
１０      化学蓄熱システム
１２      蒸発凝縮器
２０      反応器（化学蓄熱反応器の一例）
２２      反応容器
３２      蓄熱材層
３４      フィルタ
４０      蓄熱材成形体（蓄熱材）
４４      フレーム部材（拘束枠）
５０      熱流動部（熱交換器）
５０ａ    部材（第１部材、第２部材）
５１      凸部
５２      凹部
５２Ａ    底部
５２Ｂ    段部  
５３Ａ    熱媒体流入パイプ（流入部）
５３Ｂ    熱媒体排出パイプ（流出部）
５５      熱媒体通路
５６Ａ    流入側幅方向熱媒体通路（流入部側マニホールド）
５６Ｂ    排出側幅方向熱媒体通路（排出部側マニホールド）
５７      反応媒体通路
６０      積層体
９０      積層ユニット
Ｗ        水蒸気（反応媒体）
【図１】
2018044702.tif 000003
【図２】
2018044702.tif 000004
【図３】
2018044702.tif 000005
【図４】
2018044702.tif 000006
【図５】
2018044702.tif 000007
【図６】
2018044702.tif 000008
【図７】
2018044702.tif 000009
【図８】
2018044702.tif 000010
【図９】
2018044702.tif 000011
【図１０】
2018044702.tif 000012
【図１１】
2018044702.tif 000013
【図１２】
2018044702.tif 000014
【図１３】
2018044702.tif 000015
【図１４】
2018044702.tif 000016
【図１５】
2018044702.tif 000017
【図１６】
2018044702.tif 000018